(57)【要約】【課題】主に、軒樋受具を簡単な形状の部材１つだけで構成しても、軒樋を保持し得るようにする。【解決手段】底部３１と、底部３１の前端から立上がる前側立上部３２、および、底部３１の後端から立上がる後側立上部３３とを有し、軒樋１３の縁部を保持する樋受部３４と、被取付部材に取付ける取付部３５とを備えた軒樋受具１２に関する。  樋受部３４は、少なくとも前側立上部３２の上端側に設けられた屈曲固定部４１とされる。  屈曲固定部４１は、屈曲によって軒樋１３の縁部を保持する保持片４２を有する。  屈曲固定部４１は、高さの異なる複数の保持片４２を有しても良い。  屈曲固定部４１は、上端部に、軒樋１３の縁部を上側から保持可能な上部保持片５１を有しても良い。  屈曲固定部４１は、軒樋１３の縁部を下側から保持可能な下部保持片５５，５６を有しても良い。【選択図】図１
2020041363.tif 000002
【特許請求の範囲】
【請求項１】
底部と、該底部の前端から立上がる前側立上部、および、前記底部の後端から立上がる後側立上部とを有し、
軒樋の縁部を保持する樋受部と、被取付部材に取付ける取付部とを備えた軒樋受具において、
前記樋受部は、少なくとも前記前側立上部の上端側に設けられた屈曲固定部とされ、
該屈曲固定部は、屈曲によって前記軒樋の前記縁部を保持する保持片を有することを特徴とする軒樋受具。
【請求項２】
請求項１に記載の軒樋受具において、
前記屈曲固定部は、高さの異なる複数の前記保持片を有していることを特徴とする軒樋受具。
【請求項３】
請求項１または請求項２に記載の軒樋受具において、
前記屈曲固定部は、上端部に、前記軒樋の前記縁部を上側から保持可能な上部保持片を有することを特徴とする軒樋受具。
【請求項４】
請求項１ないし請求項３のいずれか１項に記載の軒樋受具において、
前記屈曲固定部は、前記軒樋の前記縁部を下側から保持可能な下部保持片を有することを特徴とする軒樋受具。
【請求項５】
請求項１ないし請求項４のいずれか１項に記載の軒樋受具を備えたことを特徴とする樋固定構造。
【発明の詳細な説明】
【技術分野】
【０００１】
この発明は、軒樋受具および樋固定構造に関するものである。
【背景技術】
【０００２】
住宅などの建物の軒先には、軒樋受具を介して軒樋が取付けられている（例えば、特許文献１、２参照）。
【先行技術文献】
【特許文献】
【０００３】
【特許文献１】特開平８−３１２０７９号公報
【特許文献２】実開平４−９８９３７号公報
【発明の概要】
【発明が解決しようとする課題】
【０００４】
しかしながら、上記特許文献に記載された軒樋受具は、複数の部品で構成されており、また、形状も比較的複雑なものとなっていた。
【０００５】
そこで、本発明は、主に、上記した問題点を解決することを目的としている。
【課題を解決するための手段】
【０００６】
上記課題を解決するために、本発明は、底部と、該底部の前端から立上がる前側立上部、および、前記底部の後端から立上がる後側立上部とを有し、軒樋の縁部を保持する樋受部と、被取付部材に取付ける取付部とを備えた軒樋受具において、前記樋受部は、少なくとも前記前側立上部の上端側に設けられた屈曲固定部とされ、該屈曲固定部は、屈曲によって前記軒樋の前記縁部を保持する保持片を有することを特徴とする。
【発明の効果】
【０００７】
本発明によれば、上記構成によって、軒樋受具を簡単な形状の部材１つだけで構成しても、軒樋を保持することなどができる。
【図面の簡単な説明】
【０００８】
【図１】本実施の形態にかかる樋固定構造を示す建物の軒部分を拡大した縦断面図である。
【図２】図１の軒樋受具の斜視図である。
【図３】図２の軒樋受具の軒樋を保持する状態を示す側面図ある。
【図４】比較例にかかる樋固定構造を示す建物の軒部分を拡大した縦断面図である。
【図５】図４の軒樋受具の分解斜視図である。
【発明を実施するための形態】
【０００９】
以下、本実施の形態を、図面を用いて詳細に説明する。
図１〜図５は、この実施の形態を説明するためのものである。
【実施例１】
【００１０】
＜構成＞以下、構成について説明する。
【００１１】
図１に示すように、戸建住宅や集合住宅などの建物１は、建物本体２と、屋根３とを有している。
【００１２】
そして、建物本体２の最上部に対して、一部が張り出すように屋根３を取付けることによって（張出部３ａ）、軒天井構造を構成する庇部分５が形成される。
【００１３】
この実施例では、屋根３は、ほぼ水平に近い緩い勾配の陸屋根とされている。この陸屋根は、多数の山部と谷部とが交互に形成された折版３ｂを使用した折版屋根とされている。折版３ｂは、庇部分５の先端（軒先側）へ向かって下り勾配となるように建物本体２の上部に斜めに設置される。折版３ｂは、タイトフレームなどの取付金具６や、ドリルビスなどの固定具７を用いて建物本体２の上部に固定される。
【００１４】
建物本体２の上部の側面における屋根３よりも低い位置には、軒先側へ向かってほぼ水平に延びる庇アーム１１が取付けられる。庇アーム１１は、屋根３の水下側の端部よりも長く延ばされる。そして、庇アーム１１の上に、軒樋受具１２を介して軒樋１３を設置することで、樋固定構造が形成される。軒樋受具１２は金属製のもの（金具）などとされる。軒樋１３は、樹脂製または金属製のものなどとされる。
【００１５】
軒樋１３は、屋根３の水下側の端部の下方（ほぼ真下）の位置に設置されると共に、建物本体２に沿って紙面と垂直な方向に延設される。軒樋１３は、長手方向（紙面と垂直な方向）に対し、所要の排水勾配を有して斜めに設置される。軒樋１３は、底面１３ａと、一対の側面１３ｂ，１３ｃとから成るほぼＵ字状の断面を有している。軒樋１３の側面１３ｂ，１３ｃは、同じ高さとしても良いが、異なる高さとしても良い。この実施例では、軒先側の側面１３ｂが建物本体２の側（建物側）の側面１３ｃよりも高くなっている。
【００１６】
庇アーム１１の先端には、軒樋１３の外側を覆うようにパラペットなどの軒樋カバー１４（化粧カバー）がパラペット受材やパラペット受金具やパラペット補強材などの取付金具１５を介して取付けられる。軒樋カバー１４は、この実施例では、上部部材１４ａと、中間部材１４ｂと、下部部材１４ｃとの３つの部材に複数分割されたものとなっているが、１つの部材や２つの部材や３つ以上の部材で構成しても良い。軒樋カバー１４の上部と折版３ｂの水下側の端部との間には、庇カバー１６が架設される。
【００１７】
一方、庇アーム１１の下面側には、岩綿保温板（ロックウール）などの断熱材が設置され、断熱材の下側には塩ビ鋼板などの軒天井パネル２１が、断熱材を覆うように設置される。そして、この軒天井パネル２１が、軒天受材２２，２３を介して庇アーム１１に取付けられることで軒天井を構成している。
【００１８】
そして、上記した軒樋受具１２は、図２（図３）に示すように、底部３１と、底部３１の前端から立上がる前側立上部３２、および、底部３１の後端から立上がる後側立上部３３とを有している。そして、軒樋受具１２は、軒樋１３の縁部を保持する樋受部３４と、被取付部材に取付ける取付部３５とを備えている。
【００１９】
ここで、軒樋受具１２の方向については、建物１の軒先側を前側、建物本体２の側を後側としている。軒樋受具１２は、底部３１と前側立上部３２と後側立上部３３との３つの部分で構成された、側面視ほぼＵ字状の部材とされている。底部３１と前側立上部３２と後側立上部３３とは、帯状の金属板をほぼ直角に曲げることによって一体に構成された１つの部材になっている。
【００２０】
軒樋受具１２の底部３１は、軒樋１３の底面１３ａよりも前後方向に長く形成されている。軒樋受具１２の前側立上部３２および後側立上部３３は、軒樋１３の側面１３ｂ，１３ｃよりも高く形成されている。そして、軒樋受具１２は軒樋１３の外側を包囲するように設置される。または、軒樋１３は、軒樋受具１２の内側に設置される。前側立上部３２と後側立上部３３とは、上下方向に同じ高さとしても良いが、この例では、軒樋１３の側面１３ｂ，１３ｃに合わせて前側立上部３２を後側立上部３３よりも高くしている。
【００２１】
軒樋１３（の側面１３ｂ，１３ｃ）の縁部（上縁部）には、横へ（軒樋１３の外側へ）張り出すように耳部１３ｄ，１３ｅ（図３）が形成されている。耳部１３ｄ，１３ｅは、フランジ状のものとしても良いし、部分的な厚肉部としても良い。この実施例では、耳部１３ｄ，１３ｅを、中空断面のものとしている。
【００２２】
樋受部３４は、軒樋１３の耳部１３ｄ，１３ｅまたはその周辺を保持するものとされる。
【００２３】
被取付部材は、軒樋受具１２を取付けるようにした建物本体２側の部材のことである。この実施例では、被取付部材は、庇アーム１１とされている。取付部３５は、軒樋受具１２の底部３１に設けられた上下方向の取付穴とされる。軒樋受具１２の底部３１は庇アーム１１の上部に直接当接され、取付穴を通してリベットやネジなどの取付具３６を上下方向に装着することによって、庇アーム１１に上下方向に直接固定される。取付穴は、樋受部３４よりも低い位置で、樋受部３４よりも軒樋１３の内側の位置に設けられる。この実施例では、軒樋受具１２の底部３１の両端近傍に２箇所設けられているが、１箇所または３箇所以上の複数箇所設けても良い。
【００２４】
そして、上記のような構成に対し、この実施例は、以下のような構成を備えることができる。
【００２５】
（１）樋受部３４は、少なくとも前側立上部３２の上端側に設けられた屈曲固定部４１とされても良い。屈曲固定部４１は、屈曲によって軒樋１３の縁部を保持する保持片４２を有しても良い。
【００２６】
ここで、前側立上部３２の上端側とは、前側立上部３２の上端およびその近傍のことである。上端近傍は、軒樋１３の耳部１３ｄ，１３ｅの周辺の範囲が含まれる。
【００２７】
屈曲固定部４１は、屈曲によって固定を行わせる構成または形状のことである。保持片４２は、屈曲固定部４１において、軒樋１３の縁部を保持するために屈曲変形される部分のことである。屈曲固定部４１は、軒樋受具１２の内側へ向けて屈曲される。
【００２８】
保持片４２は、現場で屈曲変形させ易いもの（易曲性金属片）とするのが好ましい。この実施例では、保持片４２の内側に抜穴４５を形成することで、保持片４２を屈曲変形させ易くしている。この場合、保持片４２は、一対の腕部４２ａと連結部４２ｂとを有して抜穴４５の周囲を取り囲むコ字状のものとなっている。但し、保持片４２は、抜穴４５を有するものには限らず、例えば、細幅状のものとしても良い。
【００２９】
なお、同様の屈曲固定部４１は、前側立上部３２に限らず後側立上部３３の上端側にも設けることができる。
【００３０】
（２）屈曲固定部４１は、高さの異なる複数の保持片４２を有しても良い。
【００３１】
ここで、保持片４２は、単数または複数設けることができるが、複数設けるのが軒樋１３を確実に固定する上では好ましい。また、複数の保持片４２は、同じ高さに設けることや、異なる高さに設けることができるが、異なる高さに設けるのが軒樋１３の高さの設定を行わせる上では好ましい。
【００３２】
なお、複数の保持片４２は、前側立上部３２と後側立上部３３とで、一対一に対応するように設けるのが好ましい。以下、具体的な保持片４２について説明する。
【００３３】
（３）屈曲固定部４１は、上端部に、軒樋１３の縁部を上側から保持可能な上部保持片５１を有しても良い。
【００３４】
ここで、上部保持片５１は、複数の保持片４２のうちの１つとして設けられるものであり、前側立上部３２の上端部の位置に１箇所または複数箇所設けられる。この実施例では、上部保持片５１は１箇所となっている。上部保持片５１は、軒樋１３の耳部１３ｄ（または耳部１３ｅ）とほぼ同じかそれよりも高い位置に形成される。なお、上部保持片５１を複数箇所設ける場合には、前側立上部３２の上端部を二股状や三股形状などの複数分岐形状にすれば良い。
【００３５】
上部保持片５１は、前側立上部３２の面に沿ってほぼ上方へ延びるように形成される。そして、上部保持片５１は、軒樋１３へ向けて下方（内側）へ曲げることで、軒樋１３の耳部１３ｄ（または耳部１３ｅ）を上から包持することができるものとされる。同様の上部保持片５１は、後側立上部３３にも設けることができる。
【００３６】
この際、軒樋１３の耳部１３ｄ（または耳部１３ｅ）は、曲げられた上部保持片５１によって上方から押さえられる。更に、軒樋１３の耳部１３ｄ（または耳部１３ｅ）は、曲げられた上部保持片５１によって軒樋１３の側面１３ｂ（または側面１３ｃ）の両側からほぼ肉厚方向（または面直方向）に押さえることができる。
【００３７】
なお、後側立上部３３においては、図１に示すように、屈曲された上部保持片５１と、屋根３の下面との間は、スーパーシートなどの透湿性・防水性・防風性を有する防水材５２を介在させても良い。
【００３８】
（４）屈曲固定部４１は、軒樋１３の縁部を下側から保持可能な下部保持片５５，５６を有しても良い。
【００３９】
ここで、下部保持片５５，５６は、複数の保持片４２のうちの１つとして設けられるものであり、上部保持片５１の位置よりも低い位置（例えば、軒樋１３の耳部１３ｄ（または耳部１３ｅ）の下部となる位置）に単数または複数設けられる。下部保持片５５，５６は、前側立上部３２の面に沿って横へ延びるように形成される。そして、下部保持片５５，５６は、（少なくとも一つを）軒樋１３へ向けて横に（内側に）曲げることで、軒樋１３の耳１３ｄ（または耳部１３ｅ）を下から支えることができるものとされる。同様の下部保持片５５，５６は、後側立上部３３にも設けることができる。
【００４０】
下部保持片５５，５６を複数設ける場合、下部保持片５５，５６は、前側立上部３２の両側部に対して、高さ違いに設けることができる。この実施例では、位置の高い下部保持片５５が前側立上部３２および後側立上部３３の図中手前側に設けられ、位置の低い下部保持片５６が前側立上部３２および後側立上部３３の図中奥側に設けられているが、逆にしても良い。この場合、高さの異なる下部保持片５５，５６は、選択使用することができる。
【００４１】
また、下部保持片５５，５６は、前側立上部３２の各側部に対して、高さ違いで複数段または多段に設けることができる。
【００４２】
（５）樋固定構造は、上記軒樋受具１２を備えたものとされる。
【００４３】
ここで、樋固定構造では、庇アーム１１の上部に（一部材で構成された）軒樋受具１２の底部３１を当接配置した状態で、取付部３５の取付穴にリベットやネジなどの取付具３６を上下方向に通すことによって、軒樋受具１２が庇アーム１１に上下方向に直接固定される。そして、高さの異なる複数の下部保持片５５，５６のうちの一つを軒樋１３へ向けて横に（内側に）曲げ、その上に耳部１３ｄ（または耳部１３ｅ）を乗せて軒樋１３を支持させることで、軒樋１３が軒樋受具１２の内側に配置される。なお、下部保持片５５，５６は底部３１を庇アーム１１に取付ける前に予め曲げ加工しておいても良い。更に、上部保持片５１を軒樋１３へ向けて下方へ曲げることで、軒樋１３は耳部１３ｄ（または耳部１３ｅ）を上から押さえられる（包持される）。
【００４４】
これにより、軒樋１３は、その耳部１３ｄ（または耳部１３ｅ）を下部保持片５５，５６と上部保持片５１とによって上側と下側とから同時に保持される。この際、複数あるうちの最適な高さの下部保持片５５，５６を適宜用いることによって、所要の排水勾配が形成されるように軒樋１３の高さが設定される。軒樋受具１２は、軒樋１３の底面１３ａを浮かせた状態にして保持することができる。
【００４５】
なお、上記した樋固定構造を設ける建物１は、建物全般とすることができ、どのようなものであっても良いが、ユニット建物９１などとするのが好ましい。ユニット建物９１は、要するに、工場で予め製造した複数の建物ユニット９２などを建築現場へ搬送して現場で組み立てることによって、短期間のうちに建物１を構築できるようにしたものである。
【００４６】
ユニット建物９１には、鉄骨系のものや木質系のものなどが存在している。鉄骨系のユニット建物９１の場合、建物本体２を構成する建物ユニット９２（例えば、鋼製ユニット）は、例えば、４本のユニット柱の上端部間と下端部間を４本の梁（天井梁９４や床梁）でそれぞれ矩形状に連結して成るボックスラーメン構造のユニットフレームを有するものなどとされる。ユニットフレームの外面側には外壁２４などが取付けられる。但し、建物１は、ユニット建物９１に限るものではない。
【００４７】
＜作用効果＞この実施例によれば、以下のような作用効果を得ることができる。
【００４８】
（作用効果１）軒樋受具１２は、底部３１と、前側立上部３２と、後側立上部３３とを有しても良い。これによって、軒樋受具１２を軒樋１３の外側を囲むように設置すること、または、軒樋１３を軒樋受具１２の内側に設置することができる。
【００４９】
軒樋受具１２は、樋受部３４と取付部３５とを備えるようにしても良い。これによって、軒樋受具１２を取付部３５で被取付部材（例えば、庇アーム１１）に取付けることができる。また、軒樋１３の縁部（耳部１３ｄ（または耳部１３ｅ））を樋受部３４で保持することができる。
【００５０】
樋受部３４は、少なくとも前側立上部３２の上端側に設けた屈曲固定部４１としても良い。これによって、屈曲固定部４１で軒樋１３の縁部を前側立上部３２の上端側の位置にて保持できるようになる。
【００５１】
この際、屈曲固定部４１は、保持片４２を有しても良い。これにより、保持片４２を屈曲することで簡単に軒樋１３の縁部を保持することができる。
【００５２】
そして、上記構造とすることにより、樋受部３４は、底部３１と前側立上部３２と後側立上部３３とのみで構成された１つの部材となる。そのため、軒樋受具１２は、簡単な形状の１つの部材に集約されると共に、１つの部材であっても軒樋１３を確実に保持できるものになる。よって、部材が１つに集約された分だけ、部品コストや施工の手間を削減することができる。
【００５３】
これに対し、図４、図５に示すような比較例の場合、軒樋受具１２が、庇アーム１１に直接固定される受具固定具１２１と、受具固定具１２１に取付けられるＵ字状の受具１２２との二部品に分けられている。そのため、部材が複数化されている分だけ、部品コストや施工の手間が掛かることになる。よって、この実施例のものの方が構造的に有利である。
【００５４】
（作用効果２）屈曲固定部４１は、高さの異なる複数の保持片４２を有しても良い。これにより、例えば、軒樋１３の縁部を高さの異なる複数の保持片４２で上側と下側とから同時に保持するようなことが可能になる。また、高さの異なる複数の保持片４２を選択して使うことによって、軒樋１３の縁部を異なる高さで保持することが可能になる。そのため、簡単な形状の部材が１つだけであっても、高さの異なる複数の保持片４２を有することで、軒樋１３の保持と、軒樋１３の高さ設定とを同時に行わせることが可能になる。しかも、高さの異なる複数の保持片４２を有することで、現場で簡単に軒樋１３の高さ設定を行うことができる。
【００５５】
これに対し、図４、図５に示す比較例の場合には、軒樋１３の高さ設定を行うために、受具固定具１２１とＵ字状の受具１２２との間に設けられる取付部３５０を横穴にすると共に、受具固定具１２１の側の横穴を高さの異なる複数の取付穴１４３〜１４５にしている。そして、受具１２２を取付ける取付穴１４３を選択することで軒樋１３の高さ設定を行わせるようにしている。しかし、この構造だと、受具固定具１２１に対するＵ字状の受具１２２の取付けに手間がかかると共に、使用する取付穴１４３〜１４５に間違いを生じ易い。よって、この実施例のものの方が構造的に有利である。
【００５６】
（作用効果３）屈曲固定部４１は、（保持片４２として）上端部に、軒樋１３の縁部を上側から保持可能な上部保持片５１を有しても良い。これにより、上部保持片５１で、軒樋１３の縁部を上側から確実に保持することができる。
【００５７】
（作用効果４）屈曲固定部４１は、（保持片４２として）軒樋１３の縁部を下側から保持可能な下部保持片５５，５６を有しても良い。これにより、下部保持片５５，５６で軒樋１３の縁部を下側から保持することができる。また、高さの異なる複数の下部保持片５５，５６を設けるようにすれば、複数の下部保持片５５，５６のいずれかを使うことで、軒樋１３の縁部を異なる高さで保持することができる。よって、軒樋受具１２を、簡単な形状の部材１つだけで構成しても、高さの異なる複数の下部保持片５５，５６を有することで、軒樋１３の保持と、軒樋１３の高さ設定とを同時に行わせることが容易に実現できるようになる。
【００５８】
（作用効果５）樋固定構造によれば、上記と同様の作用効果を得ることができる。
【符号の説明】
【００５９】
１１    庇アーム（被取付部材）
１２    軒樋受具
１３    軒樋
１３ｄ  耳部（軒樋の縁部）
１３ｅ  耳部（軒樋の縁部）
３１    底部
３２    前側立上部
３３    後側立上部
３４    樋受部
３５    取付部
４１    屈曲固定部
４２    保持片
５１    上部保持片
５５    下部保持片
５６    下部保持片
【図１】
2020041363.tif 000003
【図２】
2020041363.tif 000004
【図３】
2020041363.tif 000005
【図４】
2020041363.tif 000006
【図５】
2020041363.tif 000007